(57)【要約】      （修正有）【課題】カード立て付き箸置きにおいて、箸置きにカードを差込みやすくすること、カードを差込んだ箸置きの安定化をはかること、及び差込んだカードに記載されている名前や名称を識別しやすくすること。【解決手段】横断面が略逆Ｖ字状の鞍状体であって、鞍状体の上部１aの中央付近が箸置き部２となるよう凹みが設けられているとともに、鞍状体の上部の端近くにカード立てとなるよう切込み３が設けられているカード立て付き箸置き１である。なお切込は垂直面に対し外側へ１５°〜２０°傾斜していることが好ましい。【選択図】図１
0003101267.tif 000002
【実用新案登録請求の範囲】
【請求項１】
横断面が略逆Ｖ字状の鞍状体であって、該鞍状体の上部の中央付近に箸置き部となるよう凹みが設けられているとともに、該鞍状体の上部の端近くにカード立てとなるよう切込みが設けられていることを特徴とするカード立て付き箸置き。
【請求項２】
前記切込みが、垂直面に対し外側へ１５°〜２０°傾斜して設けられていることを特徴とする請求項１記載のカード立て付き箸置き。
【請求項３】
前記切込みの切込み口の開きが、切込み先端の開きより広くなっていることを特徴とする請求項１又は２記載のカード立て付き箸置き。
【請求項４】
切込み口の開きが１〜２ｍｍで、切込み先端の開きが０．３〜０．５ｍｍであることを特徴とする請求項１乃至３のいずれか１項記載のカード立て付き箸置き。
【請求項５】
略逆Ｖ字状の鞍状体の側面に図柄が彫込まれていることを特徴とする請求項１乃至請求項４のカード立て付き箸置き。
【考案の詳細な説明】
【技術分野】
【０００１】
本考案は、名札，名刺その他カード類を立てられるようにした箸置きに関する。
【背景技術】
【０００２】
箸置きは、会食の席等で箸を休める為の道具であり、多くは木材・竹・陶磁器・プラスチック等で作られた小さな枕状の物品である。ところで、宴会の席上などで箸置きに置いた箸が自分のものであることがすぐにわかるようにした名刺立て付き箸置きが提案されている。この箸置きは、円筒状に作られた箸置きの一端に深い切り込みを入れ、名刺等を差込み、立てられるようにしたものである（例えば、特許文献１参照。）。
【０００３】
前記箸置きは、ビニール，シリコンゴム，合成樹脂等の円筒状の筒（チューブ状のもの）の一部に断面を切るように切込みを入れ、この切込みに名刺等を差込んで使用する。この場合、箸置きの形状が円筒形であるため、食卓上で転び易く、宴会等のとき、多数の箸置きを所定位置に迅速かつ適確に配置することは容易ではない。また、名刺等を円筒形状の箸置きに差込むことは、箸置きが転がり易いため必ずしも容易ではない。
【特許文献１】特開２００２−１１２８７４号公報
【考案の開示】
【考案が解決しようとする課題】
【０００４】
本考案は名札・名刺その他カード類を立てられるような箸置きであって、食卓等の上に安定して配置でき、しかもカード類の差込みが迅速・確実にできるものを提供しようとするものである。さらに、箸置きに差込んだカード類に記載された人名等が容易に識別できるようにすることも本考案は目的とする。
【課題を解決するための手段】
【０００５】
本考案の主要な特徴は以下のとおりである。
（１）横断面が略逆Ｖ字状の鞍状体であって、該鞍状体の上部の中央付近に箸置き部とな
るよう凹みが設けられているとともに、該鞍状体の上部の端近くにカード立てとなるよう切込みが設けられているカード立て付き箸置きである。
（２）前記切込みが、垂直面に対し、外側へ１５°〜２０°傾斜していることを特徴とす
る前項（１）記載のカード立て付き箸置きである。傾斜が小さく、１５°以下であるとカード類に記載された事が読みずらくなり、傾斜が大きく、２０°以上となると箸置きにカード類を差込み難くなるおそれがあるからである。
（３）前記切込みの切込み口の開きが、切込み先端の開きより広くなっていることを特徴とする前項（１）又は（２）記載の箸置きである。カード類を差し込みやすくし、しかも差し込んだカード類が確実に把持されるようにするためである。
（４）切込み口の開きが１〜２ｍｍで切込み先端の開きが０．３〜０．５ｍｍであることを特徴とする前項（１）乃至（３）のいずれか１項記載のカード立て付き箸置きである。カード類を差し込みやすくするためには、切込みの口の開きは１ｍｍ以上あることが望ましく、反対に２ｍｍ以上になると差し込んだカードが不安定になるおそれがあるからである。切込み先端の開きは、カード類が差し込まれるためには少なくとも０．３ｍｍ以上あることが望ましく、反対に０．５ｍｍ以上になると差し込んだカード類が不安定になるからである。
（５）略逆Ｖ字状の鞍状体の側面に図柄が彫込まれていることを特徴とする前項（１）乃至（４）のいずれか１項記載のカード立て付き箸置きである。
【考案の効果】
【０００６】
（１）本考案の箸置きは、上部に対して底部が拡がっているため安定した状態で食卓の上
に配置でき、カード類を差込んでも不安定になることはない。
（２）カード立てとなる切込みが垂直面に対し傾斜しているため、差込んであるカード等
に記載されている人名等が容易に識別できる。
（３）本考案の箸置きは、全体が鞍状に形成されているため、互に密に重ね合せることが
でき、多数の箸置きを収納する場合や、運搬する場合便利である。
（４）その地域の名勝地や記念となる図柄を鞍状体の側面に彫込むことで差別化が図れる。
【考案を実施するための最良の形態】
【０００７】
銅，銀，黄銅，ステンレス等の金属板をプレスして成型する方法が通常用いられる。箸置きの側面に図柄を入れる場合は、プレス型で一度に成型するか、又は無地の箸置きに後から図柄を彫り込んでも良い。又、最後に金色又は銀色やその他の色に着色しても良い。
【実施例１】
【０００８】
本考案の実施例を図に基づいて説明する。図１はカード立て付き箸置きの斜視図である。側面の図柄６は桜島をイメージしたものであるが、特に限定するものではない。地域や記念となるような事柄をイメージできるようなものが良い。片側だけでなく両側とも入れると良い。
本実施例の場合、底部１ｂが上部１ａより長いため安定性は良好である。
【０００９】
図１において、カード立て付き箸置き１は、全体が鞍状体となっており、上部１ａの中央付近は凹みが設けられ、箸置き部２となっている。切込み口３ａは切込み先端３ｂより広くなっていてカードが差込みやすくなっている。
【００１０】
図３は、図１に示すカード立て付き箸置きの側面図である。切込み３は垂直面に対し１５°〜２０°の範囲で傾斜している。又、切込み口３ａは１〜２ｍｍであるのに対し、切込み先端３ｂは０．３〜０．５ｍｍとなっていて、切込み口が広く、切込み先端が狭くなっていて、カードを差込みやすく、しかも差込んだカードが確実に把持されるようになっている。また箸置き部２と、カード立て付き箸置きの上部１ａとの境界はなだらかな曲面４となっている。
【００１１】
図５は、図３におけるＡ−Ａ断面図である。底部１ｂと１ｂの開き角度は約６０°となっている。ただし特にこの角度に限定するものではない。
【００１２】
図６は、カード立て付き箸置き１に実際にカード７を立てたときの状態を示す斜視図である。カードが垂直に立っているよりも、やや傾いていた方がカードの表面に記載されている人名や名称などが識別しやすくなる。
【実施例２】
【００１３】
図２には他の実施例の斜視図である。底部１ｂが上部１ａより短くなっている。名刺や名札を差込むと不安定になりやすいが、上部１ａが長くて箸置き部２が広くとれる。
【００１４】
図４は図２に示すカード付き箸置きの側面図である。縁線５は、特に意味はないが、縁線を入れることにより、側面に描かれる図柄６が引き立つという効果が期待できる。
【産業上の利用可能性】
【００１５】
旅館，ホテル，料亭等で多数の人々の食事を用意する場合、本考案の箸置きは、容易にしかも迅速・確実に配置でき、しかも名札等の差込も円滑にできるため、宴席の準備をするのに効果が良い。
【００１６】
さらに、宴席の参会者にとっては、自分の席及び箸を間違いなく確認できること、及び箸置きに差込んだ名札等で自己のＰＲを他の参会者にすることができる利点がある。
【００１７】
本考案の箸置きは特に材質を限定するものではないが、一般に金属を加工して作ることが効率的と考えられるが、金属製とすることで陶磁器製や木製のものと比較して堅牢で耐久性があり、汚れた場合でも洗浄や消毒・殺菌が容易であり衛生的である。
【図面の簡単な説明】
【００１８】
【図１】カード立て付き箸置きの斜視図である（実施例１）
【図２】カード立て付き箸置きの斜視図である（実施例２）
【図３】カード立て付き箸置きの側面図である（実施例１）
【図４】カード立て付き箸置きの側面図である（実施例２）
【図５】図３におけるＡ−Ａ断面図である（実施例１）
【図６】カード立て付き箸置きの使用例を示す斜視図である（実施例１）
【符号の説明】
【００１９】
１  カード立て付き箸置き
１ａ  上部
１ｂ  底部
２  箸置き部
３  切込み
３ａ  切込み口
３ｂ  切込み先端
４  曲面
５  縁線
６  図柄
７  カード
７ａ  名前又は名称
【図１】
0003101267.tif 000003
【図２】
0003101267.tif 000004
【図３】
0003101267.tif 000005
【図４】
0003101267.tif 000006
【図５】
0003101267.tif 000007
【図６】
0003101267.tif 000008